【手続補正書】
【提出日】平成19年5月10日(2007.5.10)
【手続補正１】
【補正対象書類名】特許請求の範囲
【補正対象項目名】全文
【補正方法】変更
【補正の内容】
【特許請求の範囲】
【請求項１】
燐酸エステルを含む重合体物質の製造方法であって、
前記製造方法が、無水五酸化燐を含む第一反応体と、（ａ）ジオール並びに（ｂ）環状エーテル及びアルコールよりなる群から選択される第二反応体とを反応させることを含み、
前記ジオールが、１，３−プロパンジオール及び１，４−ブタンジオールから選択される１種以上であり、
前記環状エーテルが、テトラヒドロフラン及びテトラヒドロピランから選択される１種以上である重合体物質の製造方法。
【請求項２】
前記重合体物質が、燐酸エステル、例えば部分燐酸エステルを含む請求項１に記載の製造方法。
【請求項３】
前記アルコールが、前記第一反応体と前記エーテルとの間の反応を開始させる開始剤を含み、及び（又は）前記アルコールが、前記重合体物質における連鎖停止剤を含む請求項１又は２に記載の製造方法。
【請求項４】
前記アルコールが、炭素原子数が４個以下のアルコール及び（又は）ポリオールを含む請求項３に記載の製造方法。
【請求項５】
前記ポリオールがジオールを含む請求項４に記載の製造方法。
【請求項６】
前記アルコールが、４個以下の炭素原子の鎖長を有する請求項１〜５のいずれかに記載の製造方法。
【請求項７】
前記アルコールが、メタノール、エタノール、イソプロパノール、ｎ−プロパノール、ｎ−ブタノール及びイソブタノールの１種以上を含む請求項１〜６のいずれかに記載の製造方法。
【請求項８】
前記アルコールが、ペンタエリトリット、グリセリン、トリメチロールプロパン、エタンジオール、１，２−プロパンジオール、１，３−プロパンジオール、１，４−ブタンジオール及びグルコースの１種以上を含む請求項１〜７のいずれかに記載の製造方法。
【請求項９】
反応容器中に前記ジオールを準備し、供給手段によって前記第一反応体を前記反応容器に添加する請求項１〜８のいずれかに記載の製造方法。
【請求項１０】
反応容器中に前記エーテルを準備し、これに前記第一反応体と前記アルコールを供給する請求項１〜９のいずれかに記載の製造方法。
【請求項１１】
保持室に前記第一反応体を保持し、導管を含む供給手段によって前記反応容器に供給する請求項１０に記載の製造方法。
【請求項１２】
前記第一反応体を前記反応容器に供給するために、前記導管にスクリュー装置が取り付けられている請求項１１に記載の製造方法。
【請求項１３】
前記供給手段が前記反応容器内の自由空間において停止しており、前記供給手段内における前記第一反応体と前記第二反応体との反応を防止するために、前記保持室と前記供給手段に不活性ガスを供給する請求項１２に記載の製造方法。
【請求項１４】
滴下供給手段によって前記アルコールを前記反応容器に供給する請求項１０〜１３のいずれかに記載の製造方法。
【請求項１５】
更なる第二反応体を前記反応容器に供給する請求項１４に記載の製造方法。
【請求項１６】
請求項９〜１５のいずれかに記載の製造方法であって、
前記製造方法がアルコールの使用を含む場合に、前記第一反応体及び前記アルコールを、前記反応容器の温度が所定温度に達するまで前記反応容器に供給し、その所定温度に達したときに、前記第一反応体及び前記アルコールの供給を一旦停止又は削減する製造方法。
【請求項１７】
前記反応容器が反応体を冷却するための冷却手段を含み、前記反応体の温度が前記所定温度よりも低下したときに、前記冷却手段を停止し、前記第一反応体及び前記アルコールの供給を再開始することができる請求項１６に記載の製造方法。
【請求項１８】
前記所定温度が２５℃〜６５℃の範囲にある請求項１６又は１７に記載の製造方法。
【請求項１９】
前記所定温度が３３℃〜３７℃の範囲にあり、好ましくは実質的に３５℃である請求項１８に記載の製造方法。
【請求項２０】
前記所定温度が４３℃〜４７℃の範囲にあり、好ましくは実質的に４５℃である請求項１８に記載の製造方法。
【請求項２１】
成分の全てを添加し、反応混合物を５５℃〜７５℃、好ましくは実質的に５５℃又は実質的に７５℃まで加熱する請求項１６に記載の製造方法。
【請求項２２】
第三反応体を前記第一反応体と前記エーテル及び前記アルコールとの反応によって生じた生成物と反応させる請求項１〜２１のいずれかに記載の製造方法。
【請求項２３】
前記第三反応体が、環状のエーテル、例えばエチレンオキシド、プロピレンオキシド及び（又は）グリシドからなる請求項２２に記載の製造方法。
【請求項２４】
前記第一反応体とジオールとが前記重合体物質を生成するものであり、これらの反応体を互いに化学量論的な比率で混合する請求項１に記載の製造方法。
【請求項２５】
前記第一反応体と前記エーテル及び前記アルコールとが前記重合体物質を生成するものであり、前記第一反応体と前記エーテルが、１：１〜１．５：１、好ましくは１．１：１〜１．２：１の範囲の前記第一反応体：前記エーテルのモル比にある請求項１に記載の製造方法。
【請求項２６】
前記第一反応体と前記エーテル及び前記アルコールとの反応生成物を第三反応体と反応させ、前記第一反応体と前記エーテルが１：１〜２：１、好ましくは１．６：１〜１．８５：１の範囲の前記第一反応体：前記エーテルのモル比にある請求項２２又は２３に記載の製造方法。
【請求項２７】
前記反応生成物と第三反応体との反応を３０℃〜６０℃、好ましくは４０℃〜５０℃の範囲で実施する請求項２２、２３又は２６に記載の製造方法。
【請求項２８】
前記第三反応体との反応が第二反応容器内で実施され、該反応容器が断熱ジャケットを有する容器及び撹拌手段を含む請求項２２、２３又は２６に記載の製造方法。
【請求項２９】
前記第一反応体と前記エーテル及び前記アルコールとの反応生成物を前記第二反応容器内に準備し、前記第三反応体を供給するための供給装置を備えている請求項２８に記載の製造方法。
【請求項３０】
第一アミン及び第二アミンを、請求項１〜２９のいずれかに記載の製造方法により形成された燐酸エステルと反応させることを含む重合体塩物質の製造方法。
【請求項３１】
それぞれのアミンが、ポリアミン及び（又は）アミン官能基を有する重合体を含む請求項３０に記載の製造方法。
【請求項３２】
前記ポリアミンがメラミンを含む請求項３１に記載の製造方法。
【請求項３３】
前記アミン官能基を有する重合体が、ポリエチレンイミンを含む請求項３１又は３２に記載の製造方法。
【請求項３４】
メラミン、及び請求項１〜２９のいずれかに記載の製造方法により形成された燐酸エステルを反応させることを含む重合体物質の製造方法。
【請求項３５】
前記燐酸エステルが部分燐酸エステルを含む請求項３４に記載の製造方法。
【請求項３６】
前記反応を１００℃以下の温度、好ましくは８５℃〜９８℃の温度で実施する請求項３０〜３５のいずれかに記載の製造方法。
【請求項３７】
前記反応を９０℃〜１５０℃、好ましくは実質的に１３５℃の温度で実施する請求項３０〜３５のいずれかに記載の製造方法。
【請求項３８】
前記燐酸エステルがオルト燐酸エステルを含む請求項３０〜３７のいずれかに記載の製造方法。
【請求項３９】
前記重合体塩物質が、水に懸濁及び（又は）溶解され、４〜８のｐＨを与えることができる請求項３０〜３８のいずれかに記載の製造方法。
【請求項４０】
請求項３０〜３９のいずれかに記載の製造方法により形成された重合体塩物質を含む難燃性組成物。
【請求項４１】
五酸化燐、窒素含有物質と（ａ）ジオール並びに（ｂ）環状エーテル及びアルコールよりなる群から選択される反応体との反応生成物を含む燐に富む重合体であって、
前記ジオールが、１，３−プロパンジオール及び１，４−ブタンジオールから選択される１種以上であり、
前記環状エーテルが、テトラヒドロフラン及びテトラヒドロピランから選択される１種以上である重合体。
【請求項４２】
４重量％よりも多い燐を含む請求項４１に記載の重合体。
【請求項４３】
９重量％よりも多い燐を含む請求項４１に記載の重合体。
【請求項４４】
４０重量％の第一ヒドロキシルを含む請求項４１に記載の重合体。
【請求項４５】
請求項１〜２９のいずれかに記載の製造方法により形成された発泡性部分燐酸エステルの水溶性発泡性重合体塩。
【請求項４６】
第一アミン、第二アミン及び燐酸エステルから形成された請求項４５に記載の発泡性重合体塩。
【請求項４７】
それぞれの第一アミン及び第二アミンが、ポリアミン及び（又は）アミン官能基を有する重合体を含む請求項４６に記載の発泡性重合体塩。
【請求項４８】
前記ポリアミンがメラミンを含む請求項４７に記載の発泡性重合体塩。
【請求項４９】
前記アミン官能基を有する重合体がポリエチレンイミンを含む請求項４７に記載の発泡性重合体塩。
【請求項５０】
前記燐酸エステルが、五酸化燐と、１，４−ブタンジオール及び（又は）１，３−ブタンジオール及び（又は）１，３−プロパンジオール及び（又は）１，２−エタンジオール及び（又は）ペンタエリトリットとの反応生成物である請求項４６〜４９のいずれかに記載の発泡性重合体塩。
【請求項５１】
請求項４０〜５０のいずれかに記載の物質を含有する熱可塑性プラスチック。
【請求項５２】
請求項４０〜５０のいずれかに記載の物質を含む熱硬化性材料。
【請求項５３】
請求項４０〜５０のいずれかに記載の物質を含有するペイント。
【請求項５４】
前記ペイントが水を基剤とする請求項５３に記載のペイント。
【請求項５５】
水不溶性である請求項４０〜５０のいずれかに記載の物質。
【請求項５６】
活性化温度を有する請求項３０〜４０又は４５〜５０のいずれかに記載の物質。